(57)【要約】      （修正有）【課題】顔の横面をガードできる帽子に取り付け可能な横面ガードおよび帽子を提供する。【解決手段】帽子をかぶる者の横面をガードする横面ガード１において、線状に貫通するスリット４が一部に形成された板状の遮蔽板２と、遮蔽板２の一方の面Ｓ１側から他方の面Ｓ２側にわたってスリット４に挿入可能とされ、その挿入された状態では、スリット４の線状方向に沿って折り返された屈曲部６を有するバネ性を有する板状の保持板３とを有し、屈曲部６には、複数の凹部等が形成され、スリット４の下側内端面または上側内端面が凹部等に係合可能である。【選択図】図１
2011127250.tif 000002
【特許請求の範囲】
【請求項１】
帽子をかぶる者の横面をガードする横面ガードにおいて、
線状に貫通するスリットが一部に形成された板状のカバー部と、
上記カバー部の一方の面側から他方の面側にわたって上記スリットに挿入可能とされ、
その挿入された状態では、上記スリットの線状方向に沿って折り返された屈曲部を有するバネ性を有する板状の保持板とを有し、
上記屈曲部には、複数の凹部が形成され、上記スリットの端面が上記凹部に係合可能であることを特徴とする横面ガード。
【請求項２】
請求項１記載の横面ガードにおいて、
前記スリットは、同一の直線上に沿って２箇所以上形成され、前記カバー部は、前記スリットを挟んで一方側が前記帽子から飛び出る遮蔽部とされ、他方側が前記帽子のひさし部分と重なる重なり部とされていることを特徴とする横面ガード。
【請求項３】
請求項２記載の横面ガードにおいて、
前記重なり部は、前記ひさし部分との重なりの面積を小さくするため幅方向の寸法を前記遮蔽部の幅方向の寸法より小さくした幅狭部を有することを特徴とする横面ガード。
【請求項４】
請求項３記載の横面ガードにおいて、
前記幅狭部は、扇状の切り欠き部分を設けることで上端側ほど狭くなるようにしたことを特徴とする横面ガード。
【請求項５】
請求項１から４のいずれか１項に記載の横面ガードにおいて、
前記凹部は、前記スリットに沿った溝とされ、前記スリットの端面が上記複数の溝の１つに嵌合可能であることを特徴とする横面ガード。
【請求項６】
請求項１から５のいずれか１項に記載の横面ガードにおいて、
前記カバー部の一方の面側から前記他方の面側にわたって前記保持板に孔が形成され、前記孔を囲む部分の少なくとも一部に凹凸が形成されていることを特徴とする横面ガード。
【請求項７】
請求項１から６のいずれか１項に記載の横面ガードにおいて、
前記カバー部は、前記スリットに沿った線と平行な線を境にして曲げられていることを特徴とする横面ガード。
【請求項８】
請求項１から６のいずれか１項に記載の横面ガードをひさし部分の側方に取り付けたことを特徴とする帽子。
【発明の詳細な説明】
【技術分野】
【０００１】
本発明は、横面ガードおよび帽子に関する。
【背景技術】
【０００２】
メガネ使用者が着用するヘルメットのひさし部に取付ける保護カバーについて、以下のものが知られている。すなわち特許文献１記載の保護カバーは、各種工事現場や製造工場で使用するものであり、この保護カバーは、細長い薄板で以って、上辺がヘルメットのひさし部下面に略沿う形状を有し、下辺がメガネ枠の上辺部分と両側部分の輪郭に略沿う形状を有するように成形して前面遮蔽部と側面遮蔽部を構成している。そして、上記前面遮蔽部の一部に、前面遮蔽部及び側面遮蔽部がヘルメットのひさし部から垂下するようにヘルメットのひさし部に取着可能になした取付具が設けられている。
【先行技術文献】
【特許文献】
【０００３】
【特許文献１】登録実用新案第３０６１４４２号公報
【発明の概要】
【発明が解決しようとする課題】
【０００４】
特許文献１に記載されている保護カバーは、各種工事現場や製造工場で使用するものであるため、安全性を考慮し、ヘルメットとメガネとの間の隙間を無くしたり、側面遮蔽部の位置が固定したりする構造である。これは、顔面前方側からのリスクを主として考慮しているためであり、また、リスク対象が金属等の固い飛散物であるためである。このような保護カバーは、メガネ着用者がゴルフを行う際の雨よけには向かない。なぜなら、ゴルフの場合、顔を正面ではなく横向きにする機会が多いためである。たとえば、パッティングをするような場合、ホールの位置を確認するために顔を横向きにする。このような場合、従来の保護カバーでは、雨を防ぎきれず、雨つぶがメガネの内側に入ってきてしまう。
【０００５】
そこで、本発明の目的は、顔の横面をガードできる帽子に取り付け可能な横面ガードおよび帽子を提供することである。
【課題を解決するための手段】
【０００６】
上記目的を達成するため、本発明の横面ガードは、帽子をかぶる者の横面をガードする横面ガードにおいて、線状に貫通するスリットが一部に形成された板状のカバー部と、カバー部の一方の面側から他方の面側にわたってスリットに挿入可能とされ、その挿入された状態では、スリットの線状方向に沿って折り返された屈曲部を有するバネ性を有する板状の保持板とを有し、屈曲部には、複数の凹部が形成され、スリットの端面が凹部に係合可能である。
【０００７】
ここで、スリットは、同一の直線上に沿って２箇所以上形成され、カバー部は、スリットを挟んで一方側が帽子から飛び出る遮蔽部とされ、他方側が帽子のひさし部分と重なる重なり部とされていることが好ましい。
【０００８】
重なり部は、ひさし部分との重なりの面積を小さくするため幅方向の寸法を遮蔽部の幅方向の寸法より小さくした幅狭部を有することが好ましい。
【０００９】
幅狭部は、扇状の切り欠き部分を設けることで上端側ほど狭くなるようにしたことが好ましい。
【００１０】
凹部は、スリットに沿った溝とされ、スリットの端面が複数の溝の１つに嵌合可能であることが好ましい。
【００１１】
カバー部の一方の面側から他方の面側にわたって保持板に孔が形成され、孔を囲む部分のカバー部は、スリットに沿った線と平行な線を境にして曲げられていることが好ましい。
【００１２】
上記目的を達成するため、本発明の帽子は、上述の横面ガードをひさし部分の側方に取り付けている。
【発明の効果】
【００１３】
本発明では、顔の横面をガードできる帽子に取り付け可能な横面ガードおよび帽子を提供することができる。
【図面の簡単な説明】
【００１４】
【図１】本発明の実施の形態に係る横面ガードの平面図である。
【図２】図１の右側面図である。
【図３】図２に示した横面ガードの状態から帽子のつばを、遮蔽板の他方の面と第２の屈曲部との間に差し込んだ状態を示す図である。
【図４】図１に示す横面ガードが構成される前段階の遮蔽板のみの平面図である。
【図５】図１に示す横面ガードが形成される前段階であって、曲げ加工されていない保持板の平面図である。
【図６】遮蔽板と保持板とを互いに動かすことで、スリットの下側内端面が、ある凹部に挿入し係合した状態から別の凹部に挿入し係合した状態へとなる過程を示す図であり、図３に示した横面ガードおよび帽子のつばのスリット位置における縦断面図である。
【図７】遮蔽板と保持板とを互いに動かすことで、スリットの下側内端面が、ある凹部に挿入し係合した状態から別の凹部に挿入し係合した状態へとなる過程を示す図であり、スリットの下側内端面が凹部から脱出し、凸部と対向している状態を示す図である。
【図８】遮蔽板と保持板とを互いに動かすことで、スリットの下側内端面が、ある凹部に挿入し係合した状態から別の凹部に挿入し係合した状態へとなる過程を示す図であり、スリットの下側内端面が別の凹部に挿入し係合されている状態を示す図である。
【図９】つばの両側方に横面ガードが取り付けられた、本発明の実施の形態に係る帽子の一例を示す図である。
【図１０】本発明の第２の実施の形態に係る横面ガードについて、遮蔽板と保持板とを互いに動かすことで、スリットの上側内端面が、ある凹部に挿入し係合した状態から別の凹部に挿入し係合した状態へとなる過程を示す図であり、図３に示した横面ガードおよび帽子のつばのスリット位置に対応した縦断面図である。
【図１１】本発明の第２の実施の形態に係る横面ガードについて、遮蔽板と保持板とを互いに動かすことで、スリットの上側内端面が、ある凹部に挿入し係合した状態から別の凹部に挿入し係合した状態へとなる過程を示す図であり、スリットの上側内端面が凹部から脱出し、凸部と対向している状態を示す図である。
【図１２】本発明の第２の実施の形態に係る横面ガードについて、遮蔽板と保持板とを互いに動かすことで、スリットの上側内端面が、ある凹部に挿入し係合した状態から別の凹部に挿入し係合した状態へとなる過程を示す図であり、スリットの上側内端面が別の凹部に挿入し係合されている状態を示す図である。
【図１３】本発明の第３の実施の形態に係る横面ガードについて、遮蔽板と保持板とを互いに動かすことで、スリットの下側内端面または上側内端面が、各凹部に挿入し係合した状態を示す図であり、スリットの上側内底面が内底面の凹部に係合している状態を示す図である。
【図１４】本発明の第３の実施の形態に係る横面ガードについて、遮蔽板と保持板とを互いに動かすことで、スリットの下側内端面または上側内端面が、各凹部に挿入し係合した状態を示す図であり、スリットの上側内底面が内底面の凹部に係合している状態を示す図である。
【図１５】本発明の第３の実施の形態に係る横面ガードについて、遮蔽板と保持板とを互いに動かすことで、スリットの下側内端面または上側内端面が、各凹部に挿入し係合した状態を示す図であり、スリットの上側内底面が内底面の凹部に係合している状態を示す図である。
【図１６】本発明の第１の実施の形態に係る横面ガードについて、遮蔽板を帽子のひさし部分となるつばの方向に押し付けた状態であって、保持板がつばに突き当たり、それ以上動かない状態を示す図である。
【図１７】図５に示す保持板の変形例である保持板の曲げ加工されていない状態の平面図およびタブの左側面拡大図である。
【図１８】図５に示す保持板の変形例である保持板の曲げ加工後の状態を示す図である。
【発明を実施するための形態】
【００１５】
以下、本発明の実施の形態に係る横面ガードおよびその横面ガードを取り付けた帽子の構成について、図面を参照しながら説明する。
【００１６】
（第１の実施の形態）
図１は、本発明の第１の実施の形態に係る横面ガード１の平面図である。図２は、図１の右側面図である。
【００１７】
横面ガード１は、透明なアクリル樹脂製の平板状の遮蔽板２と、表面にバレルメッキによりニッケル層が設けられ曲げ加工されバネ性を有する鋼板からなる板状の保持板３を有している。遮蔽板２は、細長い長方形の孔部であるスリット４が直線Ｌ１に沿って２つ形成されている。ここで、遮蔽板２は、スリット４に沿った直線Ｌ１と平行な線Ｌ２を境にして仮想直線Ｌ３に対して角度α（＝３０度）だけ曲げられている。仮想直線Ｌ３は、後述するひさし部２ｂの面を伸ばした場合の面状の線である。そして、各々のスリット４には、保持板３の２つの先端部５，５が、遮蔽板２の一方の面Ｓ１側から他方の面Ｓ２側に渡って挿入されている。そして、その挿入された状態で保持板３の各先端部５，５のそれぞれは、スリット４の直線Ｌ１に沿って折り返された屈曲部６を有している。
【００１８】
遮蔽板２は、スリット４を挟んで一方側が帽子から飛び出て、人の横面を覆う遮蔽部２ａとされ、他方側が帽子のひさし部分と重なる重なり部２ｂとされている。重なり部２ｂは、ひさし部分との重なりの面積を小さくするため幅方向の寸法を遮蔽部２ａの幅方向の寸法より小さくした幅狭部２ｃを有している。この幅狭部２ｃは、遮蔽板２に扇状の切り欠き部分２ｄを設けることでその上端側ほど狭くなるようにされている。
【００１９】
そして、屈曲部６の外底面７には、スリット４に沿った方向に伸びるように形成された凹部１１，１２が２つずつ形成されている。凹部１１，１２は、屈曲部６の外底面７部分をローレット加工して形成した凸部１３，１４，１５を側面としている。それぞれのスリット４の下側内端面１６は、凹部１１に挿入した状態で位置保持されている。なお、遮蔽板２と保持板３とを互いに動かし、それぞれのスリット４の下側内端面１６を、凹部１２に挿入した状態で位置保持することもできる。この動かし方の詳細は、後述する。なお、屈曲部６の肉厚寸法と凸部１３，１４，１５の最大高さ寸法との和Ｗ１は、スリット４の幅寸法Ｗ２よりも小さくされている。すなわち、屈曲部６がスリット４を挿通できるようにされている。しかし、Ｗ１＝Ｗ２としたり、Ｗ１＞Ｗ２としても良い。これらの場合、凸部１３，１４または横面ガード１のいずれかまたは両者に弾性を持たせるようにするのが好ましい。
【００２０】
また、保持板３には、遮蔽板２の一方の面Ｓ１側から他方の面Ｓ２側にわたって配置されるように長円形の孔１７が形成されている。この孔１７を囲むエッジ部１８、すなわち、遮蔽板２と接する側に形成されるエッジ部１８が、遮蔽板２および帽子のつばとの摩擦を大きくするように角張ったエッジ状にに構成されている。このため、孔１７は、滑り止め構造を有していることとなる。また、屈曲部６と先端部５との間には、遮蔽板２の他方の面Ｓ２と保持板３との距離が部分的に近づくように、スリット４に沿った線と平行な線に沿って曲げられた第２の屈曲部１９が設けられている。
【００２１】
図３は、図２に示した横面ガード１の状態から帽子のひさし部分となるつば２１を、遮蔽板２の他方の面Ｓ２と第２の屈曲部１９との間に差し込んだ状態を示す図である。この状態では、遮蔽板２の他方の面Ｓ２と第２の屈曲部１９との距離が、図２に示した状態よりも若干大きくなっている。すなわち、遮蔽板２がバネ変形して第２の屈曲部１９が帽子のつば２１を押圧している。そのため、横面ガード１が帽子のつば２１に風などでは動かないように取り付けられる。この図３に示す状態においても、遮蔽板２と保持板３とを互いに動かし、それぞれのスリット４の下側内端面１６を、凹部１２に挿入した状態で位置保持させることができる。
【００２２】
図４は、横面ガード１が形成される前段階の遮蔽板２のみの平面図である。図５は、横面ガード１が形成される前段階であって、曲げ加工されていない保持板３の平面図である。保持板３は、遮蔽板２のスリット４に先端部５が挿入された後に曲げ加工されていても良いし、その挿入の前に予め曲げ加工されていることとしても良い。
【００２３】
図６、図７および図８は、遮蔽板２と保持板３とを互いに動かすことで、スリット４の下側内端面１６が、凹部１１に挿入し係合した状態から凹部１２に挿入し係合した状態へとなる過程を示す図である。
【００２４】
図６は、図３に示した横面ガード１および帽子のつば２１のスリット４位置における縦断面図である。図６では、下側内端面１６が、凹部１１に入り、凹部１１に係合している。ここで、保持板３を矢示Ｙ１方向に動かすおよび／または遮蔽板２を矢示Ｙ２方向に動かす。その後、遮蔽板２を矢示Ｙ３方向に動かすおよび／または保持板３を矢示Ｙ４方向に動かす。すると、図７に示すようにスリット４の下側内端面１６が凹部１１から脱出し、凸部１４と対向するようになる。その後、さらに遮蔽板２を矢示Ｙ３方向に動かすおよび／または保持板３を矢示Ｙ４方向に動かす。そして、保持板３を矢示Ｙ２方向に動かすおよび／または遮蔽板２を矢示Ｙ１方向に動かす。すると、図８に示すようにスリット４の下側内端面１６が凹部１２に挿入される。
【００２５】
ここで、図７および図８は、保持板３および帽子のつば２１の描写角度を図６と同一にしている。これは、保持板３と帽子のつば２１の位置は、図６と変化がないためである。一方、遮蔽板２の遮蔽部２ａは変化している。すなわち、下側内端面１６が凹部１２に挿入される過程において、図６に示した状態から遮蔽板２のうち、上述したように図１に示す角度αで曲げられた部分を起点としてそこから下側部分が曲がる。曲がる角度は、図７の状態では、直線Ｌ３に対して角度β（α＜β）であり、その状態を経て、図８の状態では、直線Ｌ３に対して角度γ（γ＞β＞α）となるように徐々に曲がることとなる。以上の動作は、樹脂製の遮蔽板２の弾性によって可能となる。なお、保持板３がバネ性を有しているので、この動きはよりスムーズとなる。ここで、角度γは、６０度〜９０度程度にすることができる。その場合遮蔽板２を使用者の顔面に接触する程度まで遮蔽板２を曲げることとなる。
【００２６】
図９は、つば２１の両側方に横面ガード１が取り付けられた、本発明の実施の形態に係る帽子２２の一例を示す図である。帽子２２をかぶる者の横面が横面ガード１によって遮蔽されていることがわかる。これによって、メガネを着用していた場合、メガネの横方向から雨つぶがメガネと顔の間に侵入し難くなり、雨つぶがメガネの内側のレンズ面に付き難くなる。
【００２７】
（第２の実施の形態）
図１０、図１１および図１２は、それぞれ図６、図７および図８に対応する図で、本発明の第２の実施の形態に係る横面ガード３１について、遮蔽板２と保持板３とを互いに動かすことで、スリット４の上側内端面３２が、凹部３４に入り係合した状態から凹部３５に入り係合した状態へとなる過程を示す図である。なお、横面ガード３１は、屈曲部６の内底面３３に溝３４，３５、および凸部３６，３７，３８を設け、外底面７の部分は平滑にされていること以外は、横面ガード１と同じ構成である。そのため、横面ガード１と横面ガード３１とで共通に有する各部材または要素については、同一の符号を付し、それらの説明は省略する。
【００２８】
図１０では、上側内端面３２が、凹部３４に入り係合し、その位置で保持されている。図１０の状態において、遮蔽板２を矢示Ｙ１方向に動かすおよび／または保持板３を矢示Ｙ２方向に動かす。その後、遮蔽板２を矢示Ｙ３方向に動かすおよび／または保持板３を矢示Ｙ４方向に動かす。すると、図１１に示すようにスリット４の上側内端面３２が凹部３４から脱出し、凸部３７と対向するようになる。その後、さらに遮蔽板２を矢示Ｙ３方向に動かすおよび／または保持板３を矢示Ｙ４方向に動かす。そして、遮蔽板２を矢示Ｙ２方向に動かすおよび／または保持板３を矢示Ｙ４方向に動かす。すると、図１２に示すようにスリット４の上側内端面３２が凹部３５に入り係合される。
【００２９】
上側内端面３２が凹部３５に挿入される過程において、図１０に示した状態から遮蔽板２のうち、上述したように図１に示す角度αで曲げられた部分を起点としてそこから下側部分が曲がる。曲がる角度は、第１の実施の形態と同様に、図１１の状態では、直線Ｌ３に対して角度β（β＞α）であり、その状態を経て、図１２の状態では、直線Ｌ３に対して角度γ（γ＞β＞α）となるよう徐々に曲がることとなる。
【００３０】
なお、横面ガード３１を帽子２２のつば２１に取り付けると、横面ガード１と同様に図９に示した帽子２２の外観となる。
【００３１】
（第３の実施の形態）
図１３、図１４および図１５は、本発明の第３の実施の形態に係る横面ガード４１について、遮蔽板２と保持板３とを互いに動かすことで、スリット４の上側内端面３２が、凹部４２に挿入し係合した状態、下側内端面１６が凹部４３に挿入し係合した状態、上側内端面３２が凹部４４に挿入し係合した状態を示す図である。なお、横面ガード４１は、屈曲部６の内底面４５および外底面７の部分の形状以外は、横面ガード１と同じ構成である。そのため、横面ガード１と横面ガード４１とで共通に有する各部材または要素については、同一の符号を付し、それらの説明は省略する。
【００３２】
横面ガード４１の屈曲部６の形状は、図１３，図１４および図１５に示すように、断面がジグザグ状にされており、外底面７および内底面３３が共に凹部（凹部４２，４３，４４）を有している。なお、図１３、図１４および図１５では、３つの凹部４２，４３，４４に符号を付して説明しているが、図に示されるように、凹部は外底面７には４つ、内底面３３に４つ、それぞれ示されている。
【００３３】
図１３に示した状態は、スリット４の上側内底面３２が内底面３３の凹部４２に係合している状態である。図１３に示す状態において、遮蔽板２を矢示Ｙ１方向に動かすおよび／または保持板３を矢示Ｙ２方向に動かす。その後、遮蔽板２を矢示Ｙ３方向に動かすおよび／または保持板３を矢示Ｙ４方向に動かす。すると、スリット４の上側内端面３２が凹部４２から脱出し、下側内底面１６が外底面７の凹部４３と対向するようになる。その対向状態で、遮蔽板２を矢示Ｙ１方向に動かすおよび／または保持板３を矢示Ｙ２方向に動かし、下側内底面１６を凹部４３に押圧すると、図１４に示すように下側内底面１６が外底面７の凹部４３に係合するようになる。その後、さらに遮蔽板２を矢示Ｙ２方向に動かすおよび／または保持板３を矢示Ｙ１方向に動かしつつ、遮蔽板２を矢示Ｙ３方向に動かすおよび／または保持板３を矢示Ｙ４方向に動かす。すると、スリット４の下側内端面１６が凹部４３から脱出し、上側内底面３２が内底面３３の凹部４４と対向するようになる。その対向状態で、遮蔽板２を矢示Ｙ２方向に動かすおよび／または保持板３を矢示Ｙ１方向に動かし、上側内底面３２を凹部４４に押圧すると、図１５に示すように上側内底面３２が内底面３３の凹部４４に係合するようになる。
【００３４】
下側内端面１６が凹部４４に挿入される過程において、図１３に示した状態から遮蔽板２のうち、上述したように図１に示す角度αで曲げられた部分を起点としてそこから下側部分が曲がる。曲がる角度は、図１４に示す状態では、直線Ｌ３に対して角度δ（δ＜α）であり、その状態を経て、図１５に示す状態では、直線Ｌ３に対して角度σ（σ＞δ＞α）となるように徐々に曲がることとなる。
【００３５】
なお、横面ガード４１を帽子２２のつば２１に取り付けると、横面ガード１，３１と同様に図９に示した帽子２２の外観となる。
【００３６】
（本発明の実施の形態によって得られる主な効果）
本発明の実施の形態に係る横面ガード１，３１，４１は、帽子２２をかぶる者の横面をガードするものであり、遮蔽板２のスリット４に、保持板３が遮蔽板２の一方の面Ｓ１側から他方の面Ｓ２側にわたって挿入された状態で、保持板３がスリット４の線状方向に沿って折り返された屈曲部６を有し、屈曲部６には、複数の凹部１１，１２，３４，３５，４２，４３，４４（以下、凹部１１等と略記する。）が形成され、スリット４の端面が凹部に係合可能である。そのため、屈曲部６の内部に帽子２２のつば２１を挿入して横面ガード１，３１，４１を帽子２２に取り付けることが可能であり、顔の横面をガードできる帽子２２に取り付け可能な横面ガード１，３１，４１および帽子２２を提供できる。
【００３７】
また、横面ガード１は、図６、図７および図８に示すように、横面ガード３１は、図１０、図１１および図１２に示すように、横面ガード４１は、図１２、図１３および図１４に示すように、スリット４の下側内端面１６または上側内端面３２を凹部１１等へと係合させ、それに伴って遮蔽板２を徐々に曲げることができる。よって、横面ガード１，３１，４１は、使用者が遮蔽板２の遮蔽角度を調整可能なものとなる。
【００３８】
そして、横面ガード１，３１，４１は、帽子２２のつば２１に取り付けると、たとえばゴルフのパッティングをするような場合、すなわち顔を向く方向が急に変わるような場合であっても、使用者がすぐに遮蔽板２の遮蔽角度を調整でき、たとえば使用者がかけているメガネの内側に雨、雪等が入るのを防止することができる。すると、水滴が付いてしまい、結果としてメガネを拭く回数が増えてしまうのを防ぎ、またはその回数を減らすことができる。また、使用者の側方に向く視線を遮蔽板２によって遮断し、ゴルフをする際または何かを観察する際の集中力を上げることができる。さらに、使用者の横面を遮蔽板２によって遮断し、ホコリよけまたは防寒の効果を得ることができる。また、ゴルフ以外の用途、たとえば釣り、ハイキング等の際に横面ガード１，３１，４１を使用しても、同様の効果を得ることができる。さらに、横なぐりの雨をも防ぎ正面からの吹込みも減少させることができる。
【００３９】
また、スリット４は、同一の直線Ｌ１上に沿って２箇所形成され、遮蔽板２は、スリット４を挟んで一方側が帽子から飛び出る遮蔽部２ａとされ、他方側が帽子２２のひさし部分と重なる重なり部２ｂとされている。そのため、遮蔽板２と保持板３とを２点で支持でき、両者の固定が安定的となる。
【００４０】
そして、重なり部２ｂは、ひさし部分との重なりの面積を小さくするため幅方向の寸法を遮蔽版２の幅方向の寸法より小さくした幅狭部２ｃを有している。そのため、帽子２２のつば２１が曲がっていても、幅狭部２ｃをを有しているため、横面ガード１，３１，４１を比較的容易に取り付けることができる。
【００４１】
そして、幅狭部２ｃは、扇状の切り欠き部分２ｄを設けることで上端側ほど狭くなっている。そのため、遮蔽部２ａと重なり部２ｂとの境目における遮蔽板２の破壊等を抑制できる。また、遮蔽板２の遮蔽範囲を、たとえば使用者の耳元近くまで広くでき、より日光や雨雪風等の遮蔽に効果を発揮する。
【００４２】
また、凹部１１等は、スリット４の方向に沿った溝、すなわち直線Ｌ１に沿った溝とされ、スリット４の下側内端面１６または上側内端面３２が複数の溝の１つに嵌合または係合可能である。そのため、スリット４と凹部１１等との係合が確実になる。このように溝となる凹部は、２つ以上であれば良いが、３つ以上がより好ましい。多数の角度調整ができるようになるためである。
【００４３】
遮蔽板２の一方の面Ｓ１側から他方の面Ｓ２側にわたって保持板３に孔１７が形成され、孔１７を囲む部分の遮蔽板２は、スリット４に沿った直線Ｌ１と平行となる直線Ｌ２に沿って曲げられている。そのため、その曲げられた部分を起点としてさらに曲げることを容易にし、曲げの動作を円滑化することができる。
【００４４】
また、保持板３は、遮蔽板２の一方の面Ｓ１と対向する面および他方の面Ｓ２と対向する面が滑り止め構造を有している。そのため、遮蔽板２と保持板３との固定がより安定的となる。その滑り止め構造は、遮蔽板２の一方の面Ｓ１側から他方の面Ｓ１側に渡って保持板３に孔１７が形成されているものである。そのため、孔１７のエッジ部１８が遮蔽板２に食い込み、滑り止め効果を発揮する。
【００４５】
また、横面ガード１を使用することによって、たとえば保持板３と帽子のつば２１の間に、ゴルフ場のグリーン上で使用するマーカー等の物を挟み込み、保持させることができる。
【００４６】
また、横面ガード４１は、外底面７および内定面３３に凹部４２，４３，４４を有しており、隣接する凹部４２，４４の間に凹部４３が配置されるため、遮蔽板２の曲げ角度を小さくできる。すなわち、横面ガード４１は、横面ガード１，３１よりも遮蔽板２の曲げ角度を小さくでき（δ＜β）、曲げの角度の微調整ができる。すなわち、角度がα、δ、σのそれぞれのときに位置保持させることができる。
【００４７】
（他の形態）
以上、本発明の実施の形態における横面ガード１，３１，４１について説明したが、本発明の要旨を逸脱しない限り種々変更実施可能である。 
【００４８】
本発明の実施の形態に係る横面ガード１は、帽子２２をかぶる者の横面をガードする横面ガード１，３１，４１において、線状に貫通するスリット４が一部に形成された板状の遮蔽板２と、遮蔽板２の一方の面Ｓ１側から他方の面Ｓ２側に渡ってスリット４に挿入可能とされ、その挿入された状態では、スリット４の線状方向に沿って折り返された屈曲部６を有するバネ性を有する板状の保持板３とを有し、屈曲部６には、複数の凹部１１等が形成され、スリット４の下側内端面１６または上側内端面３２が凹部１１等に係合可能である。
【００４９】
ここで、凹部１１等は溝となっているが、溝としなくても良い。たとえば屈曲部６の表面と、スリット４の下側内端面１６または上側内端面３２の表面の一方または両方に対して、やすり等で粗面化する梨地加工を施す。すると、非常に多数の凹部が形成され、遮蔽板２の下側内端面１６または上側内端面３２の凸部がと屈曲部６の凹部とが係合することで両者間の摩擦力が高まり、遮蔽板２が曲がった状態を屈曲部６で維持することができる。
【００５０】
また、図１６に示すように、遮蔽板２を帽子２２のひさし部分となるつば２１の方向に押し付けると、保持板３がつば２１に突き当たり、それ以上動かないようになる。その状態で、遮蔽板２をさらにつば２１の方向に押すと、凹部に確実に嵌合し、位置保持が強固となる。この面で、屈曲部６の外底面７に凹部となる溝を設けるのは好ましい。
【００５１】
また、スリット４は、同一の直線Ｌ上に沿って２箇所形成され、遮蔽板２は、スリット４を挟んで一方側が帽子２２から飛び出る遮蔽部２ａとされ、他方側が帽子２２のひさし部分と重なる重なり部２ｂとされている。しかし、スリット４の数は１個、３個、４個等としても良い。また、スリット４は、同一の直線Ｌ１上に沿って複数形成されている必要はなく、異なる直線上または曲線上にそれぞれ形成されていても良い。また、スリット４が複数ある場合において、保持板３の端部５が取り付けられないスリット４があっても良い。
【００５２】
また、重なり部２ｂは、ひさし部分との重なりの面積を小さくするため幅方向の寸法を遮蔽部２ａの幅方向の寸法より小さくした幅狭部２ｃを有している。重なり部２ｂは、ひさし部分との重なりの面積を小さくする必要がない場合は、幅狭部２ｃを設けないようにしても良い。
【００５３】
また、幅狭部２ｃは、扇状の切り欠き部分２ｄを設けることで上端側ほど狭くなるようにしている。しかし、幅狭部２ｃの形状は、扇状の切り欠き部分２ｄを設ける以外の形状としても良い。
【００５４】
また、凹部１１等は、スリット４に沿った溝とされ、スリット４の下側内端面１６または上側内端面３２が複数の溝の１つに嵌合可能である。ここで、第１、第２および第３の実施の形態では、下側内端面１６と上側内端面３２は、遮蔽板２の厚みと同じ幅の「面」を有している。しかし、下側内端面１６または上側内端面３２に相当する部分は、先細りする形状で「面」を有さないものであっても良い。
【００５５】
また、遮蔽板２の一方の面Ｓ１側から他方の面Ｓ２側にわたって保持板３に孔１７が形成され、孔１７を囲む部分の遮蔽板２は、スリット４に沿った直線Ｌ１と平行となる直線Ｌ２に沿って、そこを起点として角度α（＝３０度）曲げられている。しかし、この曲げられている部分を設けないこととしても良い。また、曲げられている部分を有するとしても、スリット４に沿った直線Ｌ１と平行となる線を起点として曲げられている必要はない。さらに、曲げの角度αは、３０度でなくても良い。さらに、曲げられている部分は、その部分をヒンジ構造等とすることができる。このヒンジ構造を採用することによって、曲げの応力を低減できる。
【００５６】
また、帽子２２は、横面ガード１，３１，４１をひさし部分（つば２１）の両側方に取り付けている。しかし、横面ガード１，３１，４１は、つば２１の片方の側方に取り付けていても良いし、前方に取り付けていても良い。
【００５７】
また、帽子カバー１は、遮蔽板２に透明なアクリル樹脂板を用いているが、遮蔽板２の材質は、紙、木材、金属、ガラス、セラミック、不透明または半透明な樹脂等としても良い。たとえば遮蔽板２をサングラスのような半透明な材質とすることで、日光から使用者の目を守ることができる。また、遮蔽板２を不透明な材質とすることで、紫外線を遮ることができ、使用者の日焼けを防止できる。
【００５８】
また、保持板３は、遮蔽板２の一方の面Ｓ１と対向する面および他方の面Ｓ２と対向する面が滑り止め構造を有している。しかし、保持板３は、滑り止め構造を有さないものであっても良い。また、保持板３は、遮蔽板２の一方の面Ｓ１と対向する面または他方の面Ｓ２と対向する面のみが滑り止め構造を有しているものであっても良い。
【００５９】
ここで、滑り止め構造は、遮蔽板 ２の一方の面Ｓ１側から他方の面Ｓ２側にわたって保持板３に孔１７が形成されているものである。しかし、滑り止め効果を得るためには、孔１７は必ずしも必要ではなく、たとえば、保持板３および／または遮蔽板２の表面を粗面化することで滑り止め効果を実現しても良い。
【００６０】
図１７は、図５に示す保持板３の変形例である保持板５１の曲げ加工されていない状態の平面図および後述するタブ５２の左側面拡大図である。また、図１８は、保持板５１の曲げ加工後の状態を示す図である。図１６では、保持板３と共通する部位には、保持板３と同一の符号を付している。保持板５１は、孔１７のエッジ部１８から突出するタブ５２を複数個、たとえば各孔１７に４つずつ有している。このタブ５２は、矢示の方向から見て、先端が半円形となるように隆起している。このような形状のタブ５２を有することで、タブ５２が遮蔽板２に食い込みやすくなり、エッジ部１８の滑り止め効果が増大する。なお、タブ５２の左側面形状は、変形例１または変形例２のように、矩形状に隆起した形状としても良い。また、このタブ５２は、凸部１３，１４，１５，３６，３７，３８と同じ働きをすることもできる。そのときは、凸部１３，１４，１５，３６，３７，３８は省略でき、また、上述のローレット加工は不要となる。このように、ローレット加工は必須の製造工程ではない。各タブ５２は、図１７の拡大図の上側面が遮蔽板２の面Ｓ１，Ｓ２のいずれか一方または両者に当接するように形成される。
【００６１】
また、横面ガード１では、凹部１１，１２は、凸部１３，１４，１５の存在によって２つ設けられている。また、横面ガード３１では、凹部３４，３５は、凸部３６，３７，３８の存在によって２つ設けられている。この凹部の語は広義に使用できる。たとえば横面ガード１では、凸部１３，１５を省略し、凸部１４のみを側面とする凹部、すなわち凸部１４を挟んだ一方の側および他方の側の領域をそれぞれ凹部ということができる。また、横面ガード１では、凹部１１，１２が２つ設けられており、横面ガード３１では、凹部３４，３５が２つ設けられているが、これらの凹部は、３つ、４つまたは５つ設けることとしても良い。さらに、横面ガード４１では、凹部４２，４３，４４が３つ設けられているが、これらの凹部は、２つ、４つ、５つまたは６つ設けることとしても良い。
【符号の説明】
【００６２】
１，３１，４１  横面ガード
２  遮蔽板（カバー部）
２ａ  遮蔽部
２ｂ  重なり部
３，５１  保持板
４  スリット
６  屈曲部
１１，１２，３４，３５，４２，４３，４４  凹部
１６  下側内端面（端面）
１７  孔
２１  帽子のつば
２２  帽子
３２  上側内端面（端面）
Ｓ１  一方の面
Ｓ２  他方の面
【図１】
2011127250.tif 000003
【図２】
2011127250.tif 000004
【図３】
2011127250.tif 000005
【図４】
2011127250.tif 000006
【図５】
2011127250.tif 000007
【図６】
2011127250.tif 000008
【図７】
2011127250.tif 000009
【図８】
2011127250.tif 000010
【図９】
2011127250.tif 000011
【図１０】
2011127250.tif 000012
【図１１】
2011127250.tif 000013
【図１２】
2011127250.tif 000014
【図１３】
2011127250.tif 000015
【図１４】
2011127250.tif 000016
【図１５】
2011127250.tif 000017
【図１６】
2011127250.tif 000018
【図１７】
2011127250.tif 000019
【図１８】
2011127250.tif 000020